(57)【要約】  実施例は、円板状のカバー本体；および前記カバー本体に形成された複数個の第１ホールを含み、前記第１ホールにはグロメットが配置され、前記グロメットは前記カバー本体の上面から延びて突出するように形成されたカバー組立体、モータおよびこれを含む電動式操向装置に関する。これに伴い、前記カバー組立体はカバー本体に形成された第１ホールが延びるように、カバー本体と一体にグロメットを形成して前記モータのコイルに対する配置を安定的に案内することができる。【選択図】図２
2020501483.tif 000002
【特許請求の範囲】
【請求項１】
円板状のカバー本体；および
前記カバー本体に形成された複数個の第１ホールを含み、
前記第１ホールにはグロメットが配置され、
前記グロメットは前記カバー本体の上面から延びて突出するように形成された、カバー組立体。
【請求項２】
前記カバー本体は
上部カバー；
下部カバー；および
前記上部カバーと前記下部カバーの間に配置されるベアリングプレートを含み、
前記グロメットは前記上部カバーに配置される、請求項１に記載のカバー組立体。
【請求項３】
前記カバー本体はインサート射出方式を通じて、前記ベアリングプレートに前記上部カバー、前記下部カバーおよび前記グロメットを形成する、請求項２に記載のカバー組立体。
【請求項４】
前記カバー本体は、前記下部カバーの下面に突出するように形成された第１突出部および第２突出部をさらに含み、
前記第１突出部は前記カバー本体の中心（Ｃ）を基準として、既設定された曲率で形成される、請求項２に記載のカバー組立体。
【請求項５】
円板状のカバー本体；および
前記カバー本体に形成された複数個の第１ホールを含み、
前記カバー本体は
上部カバー；
下部カバー；
前記上部カバーと前記下部カバーの間に配置されるベアリングプレート；および
前記下部カバーの下面に突出するように形成された第１突出部および第２突出部を含み、
前記第１突出部は前記カバー本体の中心（Ｃ）を基準として、既設定された曲率で形成される、カバー組立体。
【請求項６】
少なくとも二つの第２突出部は前記第１突出部の一側から延びるように形成され、前記第２突出部のそれぞれは互いに離隔するように前記下部カバーの下面に配置される、請求項４または請求項５に記載のカバー組立体。
【請求項７】
前記第２突出部のうちいずれか一つの一領域は前記カバー本体の中心（Ｃ）を基準として、既設定された曲率で形成される、請求項６に記載のカバー組立体。
【請求項８】
前記第２突出部の曲率は前記第１突出部の曲率より大きい、請求項７に記載のカバー組立体。
【請求項９】
回転軸；
前記回転軸に結合するロータ；
前記ロータの外側に配置されるステータ；
前記ステータに巻かれるコイル；
前記ステータの上部に配置されるルータ；
前記ロータ、前記ステータおよび前記ルータを収容し、一側に開口が形成されたハウジング；および
前記開口を覆うカバー組立体を含み、
前記カバー組立体は
円板状のカバー本体；および
前記カバー本体に形成された複数個の第１ホールを含み、
前記第１ホールにはグロメットが配置され、
前記グロメットは前記カバー本体の上面から延びて突出するように形成された、モータ。
【請求項１０】
前記カバー本体は
上部カバー；
下部カバー；および
前記上部カバーと前記下部カバーの間に配置されるベアリングプレートを含み、
前記グロメットは前記上部カバーに配置される、請求項９に記載のモータ。
【請求項１１】
前記カバー本体は、前記下部カバーの下面に突出するように形成された第１突出部および第２突出部をさらに含み、
前記第１突出部は前記カバー本体の中心（Ｃ）を基準として、既設定された曲率で形成される、請求項１０に記載のモータ。
【請求項１２】
回転軸；
前記回転軸に結合するロータ；
前記ロータの外側に配置されるステータ；
前記ステータに巻かれるコイル；
前記ステータの上部に配置されるルータ；
前記ロータ、前記ステータおよび前記ルータを収容し、一側に開口が形成されたハウジング；および
前記開口を覆うカバー組立体を含み、
前記カバー組立体は
円板状のカバー本体；および
前記カバー本体に形成された複数個の第１ホールを含み、
前記カバー本体は
上部カバー；
下部カバー；
前記上部カバーと前記下部カバーの間に配置されるベアリングプレート；および
前記下部カバーの下面に突出するように形成された第１突出部および第２突出部を含み、
前記第１突出部は前記カバー本体の中心（Ｃ）を基準として、既設定された曲率で形成される、モータ。
【請求項１３】
前記ルータは
円板状のルータ本体；および
前記ルータ本体に配置されて前記コイルを案内する複数個のガイド部を含む、請求項１１または請求項１２に記載のモータ。
【請求項１４】
互いに離隔するように配置される前記ガイド部間にはチャネルが形成される、請求項１３に記載のモータ。
【請求項１５】
前記ガイド部は第１ガイド部；および前記第１ガイド部の一側に配置される第２ガイド部；を含み、
前記第２ガイド部の高さ（ｈ２）は前記第１ガイド部の高さ（ｈ１）より低い、請求項１４に記載のモータ。
【請求項１６】
前記第２ガイド部の上側には前記第１突出部が配置される、請求項１５に記載のモータ。
【請求項１７】
前記チャネルには前記第２突出部が配置される、請求項１６に記載のモータ。
【請求項１８】
少なくとも二つの前記第２突出部は前記第１突出部の一側から延びるように形成され、前記第２突出部のそれぞれは互いに離隔するように前記下部カバーの下面に配置される、請求項１１または請求項１２に記載のモータ。
【請求項１９】
前記第２突出部のうちいずれか一つの一領域は前記カバー本体の中心（Ｃ）を基準として、既設定された曲率で形成される、請求項１８に記載のモータ。
【請求項２０】
前記第２突出部の曲率は前記第１突出部の曲率より大きい、請求項１９に記載のモータ。
【請求項２１】
回転軸；
前記回転軸に結合するロータ；
前記ロータの外側に配置されるステータ；
前記ステータに巻かれるコイル；
前記ステータの上部に配置され、複数個のガイド部を含むルータ；
前記ロータ、前記ステータおよび前記ルータを収容し、一側に開口が形成されたハウジング；および
前記開口を覆うカバー組立体を含み、
前記カバー組立体は下面に突出するように形成された突出部を含み、
前記突出部は前記ガイド部間に配置される前記コイルを支持する、モータ。
【請求項２２】
前記突出部は第１突出部と第２突出部を含み、
前記第１突出部は前記カバー組立体の中心（Ｃ）を基準として、既設定された曲率で形成され、
前記第１突出部の一側から延びるように形成される複数個の前記第２突出部は互いに離隔するように配置される、請求項２１に記載のモータ。
【請求項２３】
前記ガイド部は第１ガイド部；および前記第１ガイド部の一側に配置される第２ガイド部；を含み、
前記第２ガイド部の高さ（ｈ２）は前記第１ガイド部の高さ（ｈ１）より低い、請求項２２に記載のモータ。
【請求項２４】
前記第１ガイド部間には前記第２突出部が配置される、請求項２３に記載のモータ。
【請求項２５】
前記コイルの直径（Ｄ）と前記第２突出部の高さ（ｈ３）の和は前記第１ガイド部の高さ（ｈ１）と同じである、請求項２４に記載のモータ。
【請求項２６】
前記第１ガイド部の間の幅は前記第２突出部の幅より大きい、請求項２４に記載のモータ。
【請求項２７】
前記カバー組立体は
円板状のカバー本体；および
前記カバー本体に形成された複数個の第１ホールを含み、
前記第１ホールにはグロメットが配置され、
前記グロメットは前記カバー本体の上面から延びて突出するように形成された、請求項２１に記載のモータ。
【請求項２８】
前記カバー本体は
上部カバー；
下部カバー；および
前記上部カバーと前記下部カバーの間に配置されるベアリングプレートを含み、
前記グロメットは前記上部カバーに配置され、
前記カバー本体はインサート射出方式を通じて、前記ベアリングプレートに前記上部カバー、前記下部カバーおよび前記グロメットを形成する、請求項２７に記載のモータ。
【請求項２９】
操向軸；および
前記操向軸に連結されるモータを含み、
前記モータは請求項２１〜請求項２８のいずれか一項に記載されたモータで提供される、電動式操向装置。
【発明の詳細な説明】
【技術分野】
【０００１】
実施例はカバー組立体、モータおよびこれを含む電動式操向装置に関する。
【背景技術】
【０００２】
モータは導体が磁場の中で受ける力を利用して電気エネルギーを回転エネルギーに変える装置である。最近モータの用途が拡大するにつれて、モータの役割が重要となりつつある。特に、自動車の電装化の急速な進行につれて、操向システム、制動システムおよび意匠システムなどに適用されるモータの需要が大きく増加している。
【０００３】
特に、前記操向システムのモータは自動車の操向安定性を保障するために、別途の動力で操向装置を補助する。
【０００４】
既存にはこのような補助操向装置として油圧を利用した装置が使われた。しかし、最近では動力の損失が少なく正確性が優秀な電動式操向装置（Ｅｌｅｃｔｒｏｎｉｃ  Ｐｏｗｅｒ  Ｓｔｅｅｒｉｎｇ  Ｓｙｓｔｅｍ）が使われている。
【０００５】
前記電動式操向装置（ＥＰＳ）は、車速センサ、アングルセンサおよびトルクセンサなどで感知した運行条件に応じて、電子制御装置（ＥＣＵ、Ｅｌｅｃｔｒｏｎｉｃ  Ｃｏｎｔｒｏｌ  Ｕｎｉｔ）でモータを駆動して旋回安定性を保障し迅速な復原力を提供する。それにより、運転者に、安全な走行を可能とさせる。
【０００６】
通常、モータは、回転可能に形成される回転軸と、回転軸に結合されるロータと、ハウジングの内側に固定されるステータが設けられるが、ロータの周りに沿って間隔を置いてステータが設置される。そして、ステータには回転磁界を形成するコイルが巻かれてロータとの電気的相互作用を誘発してロータの回転を誘導する。ロータが回転することによって回転軸が回転しながら駆動力を生成することになる。
【０００７】
そして、ステータの上端にはコイルと電気的に連結されるバスバーが配置される。バスバーは略リング状のバスバーハウジングと、バスバーハウジングに結合されてコイルが連結されるバスバーターミナルが含まれる。通常的に、このようなバスバーは銅板のような板金をプレス加工してバスバーターミナルを成形する。
【０００８】
この時、バスバーターミナルにはコイルと直接連結される複数個の端子が設けられ得るが、各端子は空間的制約やコイルの連結端の位置によって一領域が折り畳まれて加工され得る。
【０００９】
また、回転軸はベアリングによってハウジングの内部に回転可能に支持され得る。この時、ベアリングはハウジングに支持されるように配置されるか。バスバーハウジングに圧入されて設置され得る。
【００１０】
しかし、前述したモータの場合、多くの組立工程を通じてそれぞれの部品がハウジングの内部に組み立てられなければならないため、生産コストを上昇させる問題がある。
【００１１】
また、バスバーターミナルを利用する場合、費用がさらに向上する。
【００１２】
したがって、バスバーターミナルの代わりにルータを利用できるが、前記ルータの場合、コイルの流動が発生する問題がある。
【００１３】
一方、パワーターミナルと連結されるように、コイルは前記モータの外部に露出され得るところ、前記コイルを保護するために別途のグロメットが前記モータに配置され得る。特に、デュアルワインディング方式でコイルがステータに巻かれる場合、６個のグロメットが前記モータに配置されなければならない。
【００１４】
この時、前記グロメットを外部に露出したコイルの端部に挿入しなければならず、外部に露出した前記コイルの端部位置が不明確な場合、前記グロメットの組み立てに問題が発生し得る。
【００１５】
また、前記グロメットの挿入工程が追加されて工程数が増加するため、生産コストが増加する問題がある。
【発明の概要】
【発明が解決しようとする課題】
【００１６】
実施例は、内部にコイルが配置されるホールを延長するようにカバー本体に一体に形成されたグロメットを含むカバー組立体、モータおよびこれを含む電動式操向装置を提供する。
【００１７】
また、カバー本体に突出部を形成してコイルの流動を防止するカバー組立体、モータおよびこれを含む電動式操向装置を提供する。
【００１８】
実施例が解決しようとする課題は以上で言及された課題に限定されず、ここで言及されていないさらに他の課題は下記の記載から当業者に明確に理解されるはずである。
【課題を解決するための手段】
【００１９】
実施例は、円板状のカバー本体；および前記カバー本体に形成された複数個の第１ホールを含み、前記第１ホールにはグロメットが配置され、前記グロメットは前記カバー本体の上面から延びて突出するように形成されたカバー組立体である。
【００２０】
ここで、前記カバー本体は、上部カバー；下部カバー；および前記上部カバーと前記下部カバーの間に配置されるベアリングプレートを含み、前記グロメットは前記上部カバーに配置され得る。
【００２１】
そして、前記カバー本体はインサート射出方式を通じて、前記ベアリングプレートに前記上部カバー、前記下部カバーおよび前記グロメットを形成することができる。
【００２２】
そして、前記カバー本体は、前記下部カバーの下面に突出するように形成された第１突出部および第２突出部をさらに含み、前記第１突出部は前記カバー本体の中心Ｃを基準として、既設定された曲率で形成され得る。
【００２３】
実施例は、円板状のカバー本体；および前記カバー本体に形成された複数個の第１ホールを含み、前記カバー本体は、上部カバー；下部カバー；前記上部カバーと前記下部カバーの間に配置されるベアリングプレート；および前記下部カバーの下面に突出するように形成された第１突出部および第２突出部を含み、前記第１突出部は前記カバー本体の中心Ｃを基準として、既設定された曲率で形成されるカバー組立体である。
【００２４】
ここで、少なくとも二つの第２突出部は前記第１突出部の一側から延びるように形成され、前記第２突出部のそれぞれは互いに離隔するように前記下部カバーの下面に配置され得る。
【００２５】
そして、前記第２突出部のうちいずれか一つの一領域は前記カバー本体の中心Ｃを基準として、既設定された曲率で形成され得る。
【００２６】
そして、前記第２突出部の曲率は前記第１突出部の曲率より大きくてもよい。
【００２７】
実施例は、回転軸；前記回転軸に結合するロータ；前記ロータの外側に配置されるステータ；前記ステータに巻かれるコイル；前記ステータの上部に配置されるルータ；前記ロータ、前記ステータおよび前記ルータを収容し、一側に開口が形成されたハウジング；および前記開口を覆うカバー組立体を含み、前記カバー組立体は、円板状のカバー本体；および前記カバー本体に形成された複数個の第１ホールを含み、前記第１ホールにはグロメットが配置され、前記グロメットは前記カバー本体の上面から延びて突出するように形成されたモータである。
【００２８】
ここで、前記カバー本体は、上部カバー；下部カバー；および前記上部カバーと前記下部カバーの間に配置されるベアリングプレートを含み、前記グロメットは前記上部カバーに配置され得る。
【００２９】
そして、前記カバー本体は、前記下部カバーの下面に突出するように形成された第１突出部および第２突出部をさらに含み、前記第１突出部は前記カバー本体の中心Ｃを基準として、既設定された曲率で形成され得る。
【００３０】
実施例は、回転軸；前記回転軸に結合するロータ；前記ロータの外側に配置されるステータ；前記ステータに巻かれるコイル；前記ステータの上部に配置されるルータ；前記ロータ、前記ステータおよび前記ルータを収容し、一側に開口が形成されたハウジング；および前記開口を覆うカバー組立体を含み、前記カバー組立体は、円板状のカバー本体；および前記カバー本体に形成された複数個の第１ホールを含み、前記カバー本体は、上部カバー；下部カバー；前記上部カバーと前記下部カバーの間に配置されるベアリングプレート；および前記下部カバーの下面に突出するように形成された第１突出部および第２突出部を含み、前記第１突出部は前記カバー本体の中心Ｃを基準として、既設定された曲率で形成されるモータである。
【００３１】
一方、前記ルータは、円板状のルータ本体；および前記ルータ本体に配置されて前記コイルを案内する複数個のガイド部を含むことができる。
【００３２】
そして、互いに離隔するように配置される前記ガイド部間にはチャネルが形成され得る。
【００３３】
そして、前記ガイド部は、第１ガイド部；および前記第１ガイド部の一側に配置される第２ガイド部；を含み、前記第２ガイド部の高さｈ２は前記第１ガイド部の高さｈ１より低くてもよい。
【００３４】
そして、前記第２ガイド部の上側には前記第１突出部が配置され得る。
【００３５】
そして、前記チャネルには前記第２突出部が配置され得る。
【００３６】
ここで、少なくとも二つの前記第２突出部は前記第１突出部の一側から延びるように形成され、前記第２突出部のそれぞれは互いに離隔するように前記下部カバーの下面に配置され得る。
【００３７】
そして、前記第２突出部のうちいずれか一つの一領域は前記カバー本体の中心Ｃを基準として、既設定された曲率で形成され得る。
【００３８】
この時、前記第２突出部の曲率は前記第１突出部の曲率より大きくてもよい。
【００３９】
実施例は、回転軸；前記回転軸に結合するロータ；前記ロータの外側に配置されるステータ；前記ステータに巻かれるコイル；前記ステータの上部に配置され、複数個のガイド部を含むルータ；前記ロータ、前記ステータおよび前記ルータを収容し、一側に開口が形成されたハウジング；および前記開口を覆うカバー組立体を含み、前記カバー組立体は下面に突出するように形成された突出部を含み、前記突出部は前記ガイド部間に配置される前記コイルを支持するモータである。
【００４０】
前記突出部は第１突出部と第２突出部を含み、前記第１突出部は前記カバー本体の中心Ｃを基準として、既設定された曲率で形成され、前記第１突出部の一側から延びるように形成される複数個の前記第２突出部は互いに離隔するように配置され得る。
【００４１】
そして、前記ガイド部は第１ガイド部；および前記第１ガイド部の一側に配置される第２ガイド部；を含み、前記第２ガイド部の高さｈ２は前記第１ガイド部の高さｈ１より低くてもよい。
【００４２】
そして、前記第１ガイド部間には前記第２突出部が配置され得る。
【００４３】
この時、前記コイルの直径Ｄと前記第２突出部の高さｈ３の和は前記第１ガイド部の高さｈ１と同じであり得る。
【００４４】
そして、前記第１ガイド部の間の幅は前記第２突出部の幅より大きくてもよい。
【００４５】
一方、前記カバー組立体は、円板状のカバー本体；および前記カバー本体に形成された複数個の第１ホールを含み、前記第１ホールには、グロメットが配置され、前記グロメットは前記カバー本体の上面から延びて突出するように形成され得る。
【００４６】
そして、前記カバー本体は、上部カバー；下部カバー；および前記上部カバーと前記下部カバーの間に配置されるベアリングプレートを含み、前記グロメットは前記上部カバーに配置され、前記カバー本体はインサート射出方式を通じて、前記ベアリングプレートに前記上部カバー、前記下部カバーおよび前記グロメットを形成することができる。
【００４７】
実施例は、操向軸；および前記操向軸に連結されるモータを含み、前記モータは前述したモータに提供される電動式操向装置である。
【発明の効果】
【００４８】
実施例に係るカバー組立体、モータおよびこれを含む電動式操向装置において、前記カバー組立体はカバー本体に形成された第１ホールが延びるように、カバー本体と一体にグロメットを形成して前記コイルの配置を安定的に案内することができる。
【００４９】
また、グロメットを上部カバーと一体に形成するため、従来にグロメットを組み立てていた工程を削除することができる。それにより、組立が容易となって生産コストを減少させることができる。
【００５０】
すなわち、前記カバー組立体はグロメットをインサート方式を通じて上部カバーに一体に形成するため、構造および組立工程を単純化させることができる。
【００５１】
また、前記下部カバーの下面に突出するように形成された第１突出部および第２突出部を利用してコイルの流動を防止することができる。
【００５２】
本発明の多様かつ有益な長所と効果は前述した内容に限定されず、本発明の具体的な実施形態を説明する過程でより容易に理解されるはずである。
【図面の簡単な説明】
【００５３】
【図１】実施例に係るモータを示す斜視図。
【図２】実施例に係るモータのカバー組立体とハウジングの結合を示す図面。
【図３】実施例に係るモータの断面図。
【図４】実施例に係るカバー組立体を示す斜視図。
【図５】実施例に係るカバー組立体を示す底面斜視図。
【図６】実施例に係るカバー組立体を示す底面図。
【図７】実施例に係るカバー組立体を示す断面図。
【図８】実施例に係るカバー組立体とルータの配置を示す図面。
【図９】実施例に係るカバー組立体の第２突出部によって流動が防止されるコイルを示す図面。
【図１０】図９のＡ領域を示す拡大図。
【図１１】図９のＢ領域を示す拡大図。
【図１２】実施例に係るカバー組立体の第１突出部によって流動が防止されるコイルを示す図面。
【図１３】実施例に係る電動式操向装置を示す図面。
【発明を実施するための形態】
【００５４】
本発明は多様な変更を加えることができ、多様な実施例を有することができるところ、特定の実施例を図面に例示して説明する。しかし、これは本発明を特定の実施形態に対して限定しようとするものではなく、本発明の思想および技術範囲に含まれるすべての変更、均等物乃至代替物を含むものと理解されるべきである。
【００５５】
第２、第１等のように序数を含む用語は、多様な構成要素の説明に使われ得るが、前記構成要素は前記用語によって限定されはしない。前記用語は一つの構成要素を他の構成要素から区別する目的でのみ使われる。例えば、本発明の技術的範囲を逸脱することなく第２構成要素は第１構成要素と命名され得、同様に第１構成要素も第２構成要素と命名され得る。および／またはという用語は複数の関連した記載された項目の組み合わせまたは複数の関連した記載された項目のいずれかの項目を含む。
【００５６】
ある構成要素が他の構成要素に「連結されて」いるとか「接続されて」いると言及された時には、その他の構成要素に直接的に連結または接続されていてもよいが、中間に他の構成要素が存在してもよいと理解されるべきである。その反面、ある構成要素が他の構成要素に「直接連結されて」いるとか「直接接続されて」いると言及された時には、中間に他の構成要素が存在しないと理解されるべきである。
【００５７】
実施例の説明において、いずれか一つの構成要素が他の構成要素の「上（うえ）または下（した）（ｏｎ  ｏｒ  ｕｎｄｅｒ）」に形成されるものと記載される場合において、上（うえ）または下（した）（ｏｎ  ｏｒ  ｕｎｄｅｒ）は二つの構成要素が互いに直接（ｄｉｒｅｃｔｌｙ）接触したり一つ以上の他の構成要素が前記二つの構成要素の間に配置されて（ｉｎｄｉｒｅｃｔｌｙ）形成されるものをすべて含む。また、「上（うえ）または下（した）（ｏｎ  ｏｒ  ｕｎｄｅｒ）」と表現される場合、一つの構成要素を基準として上側方向だけでなく下側方向の意味も含み得る。
【００５８】
本出願で使った用語は単に特定の実施例を説明するために使われたものであって、本発明を限定しようとする意図ではない。単数の表現は文脈上明白に異なることを意味しない限り、複数の表現を含む。本出願で、「含む」または「有する」等の用語は、明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加の可能性をあらかじめ排除しないものと理解されるべきである。
【００５９】
異なって定義されない限り、技術的または科学的な用語を含んでここで使われるすべての用語は、本発明が属する技術分野で通常の知識を有する者によって一般的に理解される意味と同じ意味を有する。一般的に使われる辞書に定義されているような用語は、関連技術の文脈上有する意味と一致する意味を有すると解釈されるべきであり、本出願で明白に定義しない限り、理想的または過度に形式的な意味と解釈されない。
【００６０】
以下、添付された図面を参照して実施例を詳細に説明するものの、図面符号にかかわらず、同一または対応する構成要素は同じ参照番号を付与し、重複する説明は省略する。
【００６１】
図１は実施例に係るモータを示す斜視図であり、図２は実施例に係るモータのカバー組立体とハウジングの結合を示す図面であり、図３は実施例に係るモータの断面図である。
【００６２】
図１〜図３を参照すると、実施例に係るモータ１は、実施例に係るカバー組立体１００、ハウジング２００、ステータ３００、コイル４００、ロータ５００、ルータ６００および回転軸７００を含むことができる。ここで、ルータ６００はステータ３００の上部に配置されてコイル４００の配置を案内することができる。そして、コイル４００の代わりにマグネットワイヤーが利用されてもよい。
【００６３】
図２および図３を参照すると、前記カバー組立体１００はハウジング２００の開放された上部を覆うように配置され得る。そして、固定部材１０により前記カバー組立体１００はハウジング２００と結合することができる。
【００６４】
それにより、カバー組立体１００とハウジング２００は前記モータ１の外形を形成することができる。ここで、ハウジング２００は上部に開口が形成された筒状に形成され得る。
【００６５】
したがって、カバー組立体１００とハウジング２００の結合によって内部に収容空間が形成され得る。そして、前記収容空間には、図３に図示された通り、ステータ３００、コイル４００、ロータ５００、ルータ６００および回転軸７００等が配置され得る。
【００６６】
図４は実施例に係るカバー組立体を示す斜視図であり、図５は実施例に係るカバー組立体を示す底面斜視図であり、図６は実施例に係るカバー組立体を示す底面図であり、図７は実施例に係るカバー組立体を示す断面図である。
【００６７】
図４〜図７を参照すると、実施例に係るカバー組立体１００は、円板状に形成されたカバー本体１１０、カバー本体１１０に形成された複数個の貫通孔１２０およびグロメット１３０を含むことができる。そして、前記カバー組立体１００はカバー本体１１０の下面に形成された突出部１４０を含むことができる。ここで、貫通孔１２０は第１ホール１２０と呼ばれ得るが、以下第１ホール１２０として説明する。
【００６８】
カバー本体１１０はハウジング２００の開放された上部を覆うように配置され得る。そして、固定部材１０によりカバー本体１１０はハウジング２００と結合することができる。
【００６９】
カバー本体１１０は、上部カバー１１１、下部カバー１１２およびベアリングプレート１１３を含むことができる。ここで、ベアリングプレート１１３は金属材質で形成され得る。
【００７０】
カバー本体１１０はインサート射出方式を通じてベアリングプレート１１３に、上部カバー１１１、下部カバー１１２およびグロメット１３０を形成することができる。それにより、グロメット１３０は上部カバー１１１と一体に形成され得る。そして、上部カバー１１１、下部カバー１１２およびグロメット１３０はモールドのような合成樹脂材質で形成され得る。
【００７１】
したがって、グロメット１３０が上部カバー１１１と一体に形成されるため、従来のグロメットを組み立てた組立工程を削除することができる。
【００７２】
ベアリングプレート１１３は上部カバー１１１と下部カバー１１２の間に配置され得る。そして、図３に図示された通り、ベアリングプレート１１３はベアリング２０を支持することができる。
【００７３】
一方、ベアリングプレート１１３の外周面には半径方向に突出するように形成された結合部１１４がさらに形成され得る。それにより、図２に図示された通り、前記固定部材１０の端部は結合部１１４を貫通してハウジング２００の一側に結合され得る。
【００７４】
第１ホール１２０はカバー本体１１０を貫通するように形成され得る。それにより、図３に図示された通り、第１ホール１２０の内部にはコイル４００の一領域が配置され得る。この時、第１ホール１２０の形成方向は回転軸７００の方向と同じ方向であり得る。
【００７５】
グロメット１３０は第１ホール１２０を延長されるようにする。それにより、第１ホール１２０の内部に配置されるコイル４００はグロメット１３０により案内され得る。そして、前記コイル４００はグロメット１３０により保護され得る。
【００７６】
下部カバー１１２の下面１１２ａには突出するように形成された突出部１４０がさらに配置され得る。ここで、突出部１４０は第１突出部１４１および第２突出部１４２を含むことができる。
【００７７】
第１突出部１４１および第２突出部１４２は下部カバー１１２とルータ６００の間に配置されるコイル４００の流動を制限することができる。
【００７８】
第１突出部１４１は下部カバー１１２の下面１１２ａで下方に突出するように形成され得る。この時、第１突出部１４１はカバー本体１１０の中心Ｃを基準として、既設定された曲率（１／Ｒ１）で形成され得る。例えば、第１突出部１４１は、図６に図示された通り、弧状に形成され得、二つが相互に離隔するように配置され得る。
【００７９】
そして、第１突出部１４１は第１ホール１２０と隣接するように配置され得る。それにより、コイル４００の一側が第１ホール１２０に挿入時、第１突出部１４１はコイル４００の一領域と接するようになる。したがって、第１突出部１４１が下面１１２ａから突出するように形成されるため、第１突出部１４１はコイル４００が上下方向に流動できる垂直方向距離ｄ１を制限するようになる。
【００８０】
第２突出部１４２は下部カバー１１２の下面１１２ａから下方に突出するように形成され得る。
【００８１】
図５および図６に図示された通り、少なくとも二つの第２突出部１４２は第１突出部の一側から延びるように形成され得る。この時、第２突出部１４２のそれぞれは互いに離隔するように下部カバー１１２の下面１１２ａに配置され得る。
【００８２】
第２突出部１４２は一領域が湾曲するように曲がった形状に形成され得る。
【００８３】
図６に図示された通り、第２突出部１４２のうちいずれか一つの一領域はカバー本体１１０の中心Ｃを基準として、既設定された曲率（１／Ｒ２）で形成され得る。
【００８４】
この時、第２突出部１４２の曲率（１／Ｒ２）は第１突出部１４１の曲率（１／Ｒ１）より大きくてもよい。すなわち、カバー本体１１０の中心Ｃを基準として、第２突出部１４２は第１突出部１４１より内側に配置され得る。ここで、内側とは中心Ｃに向かう方向であり得る。
【００８５】
一方、カバー本体１１０の中心Ｃには、回転軸７００が配置されるように配置孔１１５が形成され得る。
【００８６】
ステータ３００はハウジング２００の内周面に支持され得る。
【００８７】
ステータ３００には回転磁界を形成するコイル４００が巻かれ得る。ここで、ステータ３００は一つのコアからなるか複数個の分割コアが結合されて構成され得る。
【００８８】
ステータ３００はロータ５００の外側に配置される。すなわち、ステータ３００の内側にはロータ５００が配置され得る。
【００８９】
ステータ３００はステータコアを含むことができる。前記ステータコアは薄い鋼板の形態の複数個のプレートが相互に積層された形態で形成され得るが、必ずしもこれに限定されるものではない。例えば、ステータコアは一つの単品で形成されてもよい。
【００９０】
前記ステータコアの外周面には複数個のトゥースが突出形成され得る。前記トゥースはステータコアの中心を基準として、半径方向に向かって突出するように配置され得る。それにより、前記トゥースの間にはスロットが形成され得る。この時、前記スロットはマグネットが対向するように配置され得る。そして、それぞれのスロットにはコイル４００が巻かれる。この時、前記スロットにはインシュレーター（図示されず）が装着され得る。前記インシュレーターはスロットとコイル４００を絶縁させる。
【００９１】
したがって、コイル４００に電流が供給されると、マグネットと電気的相互作用が誘発されてロータ５００を回転させることができる。ロータ５００が回転する場合、回転軸７００もともに回転する。この時、回転軸７００はベアリング２０により支持され得る。
【００９２】
ロータ５００はステータ３００の内側に配置され得る。そして、中心部に回転軸７００が結合され得る。
【００９３】
ロータ５００はロータコアにマグネットが結合されて構成され得る。例えば、ロータ５００は前記ロータコアの外周面にマグネットが配置されるタイプで構成され得る。
【００９４】
したがって、前記マグネットはステータ３００に巻かれたコイル４００と回転磁界を形成する。このようなマグネットは、回転軸７００を中心に円周方向を基準としてＮ極とＳ極が交互に位置するように配置され得る。
【００９５】
それにより、コイル４００とマグネットの電気的相互作用でロータ５００が回転し、ロータ５００が回転すると回転軸７００が回転して駆動力を発生させる。
【００９６】
一方、ロータ５００の前記ロータコアは複数個の分割コアが結合されて製作されるか、一つの筒で構成される単一コアの形態で製作され得る。
【００９７】
ルータ６００はステータ３００の上部に配置されてコイル４００の配置を案内することができる。ここで、ルータ６００は合成樹脂のような絶縁性の材質で形成され得る。
【００９８】
図８は、実施例に係るカバー組立体とルータの配置を示す図面である。
【００９９】
図８を参照して詳察すると、ルータ６００は円板状のルータ本体６１０およびルータ本体６１０に配置されてコイル４００の配置を案内する複数個のガイド部６２０を含むことができる。ここで、ルータ本体６１０とガイド部６２０は一体に形成され得る。そして、ガイド部６２０は一領域が湾曲するように曲がった形状に形成され得る。それにより、ルータ６００のガイド部６２０はコイル４００を整列させることができる。すなわち、ルータ６００のガイド部６２０の間にはコイル４００の一領域が配置され得る。
【０１００】
ルータ本体６１０は円板状に形成され得、一側に第２ホール６１１が形成され得る。それにより、ステータ３００に巻かれたコイル４００の一部は前記第２ホール６１１を通じてルータ本体６１０の上部に配置され得る。
【０１０１】
ガイド部６２０はルータ本体６１０の上面６１２から突出するように形成され得る。そして、複数個のガイド部６２０は相互に離隔するように配置され得る。
【０１０２】
それにより、ガイド部６２０の間にはコイル４００が配置されるチャネル６３０が形成され得る。したがって、第２ホール６１１を貫通したコイル４００はチャネル６３０に沿って配置されて整列され得る。
【０１０３】
ガイド部６２０は高さが互いに異なる第１ガイド部６２１と第２ガイド部６２２を含むことができる。ここで、第１ガイド部６２１は既設定された高さｈ１で突出するように形成され得、第２ガイド部６２２は既設定された高さｈ２で突出するように形成され得る。この時、第２ガイド部６２２の高さｈ２は第１ガイド部６２１の高さｈ１より低く形成され得る。
【０１０４】
第１ガイド部６２１は、図８に図示された通り、ルータ本体６１０の上面６１２から突出するように形成され、一領域が湾曲するように曲がった形状に形成され得る。
【０１０５】
図９は実施例に係るカバー組立体の第２突出部によって流動が防止されるコイルを示す図面であり、図１０は図９のＡ領域を示す拡大図であり、図１１は図９のＢ領域を示す拡大図である。
【０１０６】
図９に図示された通り、第１ガイド部６２１の間に形成されたチャネル６３０には第２突出部１４２が配置され得る。この時、第２突出部１４２はルータ本体６１０の上面６１２で所定の間隔で離隔するように配置され得る。
【０１０７】
第２突出部１４２の一領域は湾曲するように曲がった形状に形成され得る。それに伴い、第２突出部１４２の幅Ｗ１がチャネル６３０の幅Ｗ２より小さくても、第２突出部１４２はチャネル６３０に配置されたコイル４００の流動を制限することができる。すなわち、第２突出部１４２はコイル４００が上下方向に流動できる垂直方向距離ｄ２を制限するようになる。
【０１０８】
さらに、コイル４００の直径Ｄと第２突出部１４２の高さｈ３の和は、前記第１ガイド部６２１の高さｈ１と同じであり得る。それにより、第２突出部１４２はコイル４００を支持することができる。この時、第２突出部１４２の幅Ｗ１はチャネル６３０の幅Ｗ２より小さくてもよいが、必ずしもこれに限定されない。例えば、第２突出部１４２の幅Ｗ１はチャネル６３０の幅Ｗ２と同じであり得る。ただし、第２突出部１４２と第１ガイド部６２１のそれぞれは湾曲した領域を有するため、第２突出部１４２の幅Ｗ１をチャネル６３０の幅Ｗ２より小さく形成して第２突出部１４２の配置を容易にすることができる。ここで、チャネル６３０の幅Ｗ２は第１ガイド部６２１の間の幅Ｗ２であり得る。
【０１０９】
第２ガイド部６２２は、図８に図示された通り、ルータ本体６１０の上面６１２から突出するように形成され得る。
【０１１０】
第２ガイド部６２２は第１ガイド部６２１の一側に配置され得る。好ましくは、第２ガイド部６２２は第１ガイド部６２１の一側端部に延びるように形成され得る。そして、第２ガイド部６２２の高さｈ２は第１ガイド部６２１の高さｈ１より低く形成され得る。
【０１１１】
図１２は、実施例に係るカバー組立体の第１突出部によって流動が防止されるコイルを示す図面である。
【０１１２】
図１２に図示された通り、第２ガイド部６２２の上側には第１突出部１４１が配置され得る。この時、第１突出部１４１は第２ガイド部６２２の上側に離隔するように配置されてもよいが必ずしもこれに限定されるものではなく、第１突出部１４１は第２ガイド部６２２の上側に接するように配置されてもよい。
【０１１３】
それにより、コイル４００の一側が第１ホール１２０に挿入時、第１突出部１４１はコイル４００の一領域と接するようになる。したがって、第１突出部１４１が突出するように形成されるため、第１突出部１４１はコイル４００が上下方向に流動できる垂直方向距離ｄ１を制限するようになる。
【０１１４】
さらに、上面６１２を基準として第２ガイド部６２２の高さｈ２はコイル４００の直径Ｄと同じ高さであり得る。そして、第１突出部１４１が第２ガイド部６２２の上側と接するように配置されることによって、第１突出部１４１はコイル４００を支持することができる。
【０１１５】
回転軸７００は、図３に図示された通り、外周面に配置されるベアリング２０によりハウジング２００の内部に回転可能に配置され得る。
【０１１６】
一方、実施例に係る電動式操向装置（ＥＰＳ、２）は前記モータ１を含むことができる。
【０１１７】
図１３を参照すると、前記電動式操向装置２は、前記モータ１、ステアリングホイール３、操向軸４、操向角センサ５および電子制御装置（ＥＣＵ、６）を含むことができる。
【０１１８】
ステアリングホイール３は一般にハンドルと呼ばれるものであって、運転者が自動車の方向転換のために回転させる。ステアリングホイール３は操向軸４と連結されるように配置され得、運転者がステアリングホイール３を回転させると、操向軸４は前記ステアリングホイール３の回転に連動して同じ方向に回転する。
【０１１９】
前記モータ１は運転者が操向をするためにステアリングホイール３を操作するトルクを補助するためのモータであって、運転者がより簡便に自動車を操向できるように補助する。
【０１２０】
前記モータ１の一端には減速機とトルクセンサ（図示されず）が結合され得る。前記トルクセンサは、ステアリングホイール３の回転による入力軸および出力軸の相対回転変位を感知した電気的な信号を生成した後、この信号を前記電子制御装置６に伝送する。
【０１２１】
操向角センサ５は前記ステアリングホイール３付近に設置され、運転者の操作によって回転するステアリングホイール３の回転角度を直接測定する。そして、操向角センサ５は測定された回転角度についての信号を前記電子制御装置６に伝送する。
【０１２２】
前記電子制御装置６は図示されていない自動車速度感知センサと、前記トルクおよび操向角センサ５の情報に基づいて、前記モータ１を含む電動式操向装置の各種駆動源を電子制御することができる。
【０１２３】
ここで、前記モータ１は電動式操向装置２の操向軸に連結され得る。
【０１２４】
前記では本発明の実施例を参照して説明したが、該当技術分野の通常の知識を有する者は下記の特許請求の範囲に記載された本発明の思想および領域から逸脱しない範囲内で、本発明を多様に修正および変更できることが理解できるはずである。そして、このような修正と変更に関係した差異点も添付された特許請求の範囲で規定する本発明の範囲に含まれるものと解釈されるべきである。
【符号の説明】
【０１２５】
１：モータ
２：電動式操向装置
４：操向軸
２０：ベアリング
１００：カバー組立体
１１０：カバー本体
１１１：上部カバー
１１２：下部カバー
１１３：ベアリングプレート
１２０：貫通孔
１３０：グロメット
１４０：突出部
２００：ハウジング
３００：ステータ
４００：コイル
５００：ロータ
６００：ルータ
６１０：ルータ本体
６２０：ガイド部
６２１：第１ガイド部
６２２：第２ガイド部
７００：回転軸
【図１】
2020501483.tif 000003
【図２】
2020501483.tif 000004
【図３】
2020501483.tif 000005
【図４】
2020501483.tif 000006
【図５】
2020501483.tif 000007
【図６】
2020501483.tif 000008
【図７】
2020501483.tif 000009
【図８】
2020501483.tif 000010
【図９】
2020501483.tif 000011
【図１０】
2020501483.tif 000012
【図１１】
2020501483.tif 000013
【図１２】
2020501483.tif 000014
【図１３】
2020501483.tif 000015
【国際調査報告】
2020501483.tif 000016
2020501483.tif 000017
2020501483.tif 000018
2020501483.tif 000019